(57)【特許請求の範囲】
【請求項１】
歯科診療を支援する歯科診療支援システムであって、
複数の診療行為からなる診療行為群の各々について、当該診療行為群の次に行われる次回診療行為群および選択頻度を対応付けて記憶する診療行為群記憶手段と、
過去に行った歯科診療の処置データを患者毎に記憶する処置データ記憶手段と、
前記処置データ記憶手段の所定の患者の処置データから、最新の処置データの診療部位と診療行為群とを特定し、当該特定した診療行為群の次回診療行為群を前記診療行為群記憶手段から取得し、前記特定した診療部位と前記取得した次回診療行為群とを含む診療予定情報を生成する予定情報生成手段と、
前記予定情報生成手段が生成した診療予定情報を表示する表示手段と、
前記表示手段が表示した診療予定情報のいずれかの次回診療行為群が選択された場合、前記診療行為群記憶手段の前記選択された次回診療行為群の選択頻度を増加させるカウント手段と、を有し、
前記予定情報生成手段は、前記診療予定情報の次回診療行為群の表示順を、前記選択頻度に基づいて決定し、
前記診療行為群記憶手段には、各診療行為群毎に当該診療行為群に含まれる各診療行為が主要な診療行為であるか否かが設定され、
各診療行為群の前記主要な診療行為毎に、チェック条件が記憶されたチェック条件記憶手段を、さらに有し、
前記予定情報生成手段は、次回診療行為群の各々について、主要な各診療行為が前記チェック条件記憶手段の対応するチェック条件を満たすか否かを判別し、チェック条件を満たす主要な診療行為が１つも存在しない次回診療行為群については、前記診療予定情報から除外すること
を特徴とする歯科診療支援システム。
【請求項２】
請求項１記載の歯科診療支援システムであって、
前記表示手段が表示した診療予定情報のいずれかの次回診療行為群が選択された場合、当該選択された次回診療行為群に含まれる各診療行為を前記診療行為群記憶手段から取得し、取得した各診療行為を含む処置データ入力画面を生成する入力画面生成手段を、さらに有し、
前記表示手段は、前記処置データ入力画面を表示すること
を特徴とする歯科診療支援システム。
【請求項３】
請求項１または２記載の歯科診療支援システムであって、
前記処置データ記憶手段の処置データから診療部位毎に所定の日数分の直近の処置データを抽出し、抽出した処置データを用いて診療部位毎の治療情報を生成する治療情報生成手段を、さらに有し、
前記表示手段は、前記予定情報生成手段が生成した診療予定情報と、前記治療情報生成手段が生成した治療情報とを、１つの画面で表示すること
を特徴とする歯科診療支援システム。
【請求項４】
歯科診療を支援する歯科診療支援方法であって、
コンピュータは、
複数の診療行為からなる診療行為群の各々について、当該診療行為群の次に行われる次回診療行為群および選択頻度を対応付けて記憶する診療行為群記憶部と、
過去に行った歯科診療の処置データを患者毎に記憶する処置データ記憶部と、を有し、
前記処置データ記憶部の所定の患者の処置データから、最新の処置データの診療部位と診療行為群とを特定し、当該特定した診療行為群の次回診療行為群を前記診療行為群記憶部から取得し、前記特定した診療部位と前記取得した次回診療行為群とを含む診療予定情報を生成する予定情報生成ステップと、
前記予定情報生成ステップで生成した診療予定情報を表示する表示ステップと、
前記表示ステップで表示した診療予定情報のいずれかの次回診療行為群が選択された場合、前記診療行為群記憶部の前記選択された次回診療行為群の選択頻度を増加させるカウントステップと、を行い、
前記予定情報生成ステップは、前記診療予定情報の次回診療行為群の表示順を、前記選択頻度に基づいて決定し、
前記診療行為群記憶部には、各診療行為群毎に当該診療行為群に含まれる各診療行為が主要な診療行為であるか否かが設定され、
前記コンピュータは、各診療行為群の前記主要な診療行為毎に、チェック条件が記憶されたチェック条件記憶部を、さらに有し、
前記予定情報生成ステップは、次回診療行為群の各々について、主要な各診療行為が前記チェック条件記憶部の対応するチェック条件を満たすか否かを判別し、チェック条件を満たす主要な診療行為が１つも存在しない次回診療行為群については、前記診療予定情報から除外すること
を特徴とする歯科診療支援方法。
【請求項５】
請求項４記載の歯科診療支援方法であって、
前記コンピュータは、前記表示ステップで表示した診療予定情報のいずれかの次回診療行為群が選択された場合、当該選択された次回診療行為群に含まれる各診療行為を前記診療行為群記憶部から取得し、取得した各診療行為を含む処置データ入力画面を生成する入力画面生成ステップを、さらに行い、
前記表示ステップは、前記処置データ入力画面を表示すること
を特徴とする歯科診療支援方法。
【請求項６】
請求項４または５記載の歯科診療支援方法であって、
前記コンピュータは、前記処置データ記憶部の処置データから診療部位毎に所定の日数分の直近の処置データを抽出し、抽出した処置データを用いて診療部位毎の治療情報を生成する治療情報生成ステップを、さらに行い、
前記表示ステップは、前記予定情報生成ステップで生成した診療予定情報と、前記治療情報生成ステップで生成した治療情報とを、１つの画面で表示すること
を特徴とする歯科診療支援方法。
【請求項７】
コンピュータが実行する歯科診療支援プログラムであって、
前記コンピュータは、
複数の診療行為からなる診療行為群の各々について、当該診療行為群の次に行われる次回診療行為群および選択頻度を対応付けて記憶する診療行為群記憶部と、
過去に行った歯科診療の処置データを患者毎に記憶する処置データ記憶部と、を有し、
前記コンピュータに、
前記処置データ記憶部の所定の患者の処置データから、最新の処置データの診療部位と診療行為群とを特定し、当該特定した診療行為群の次回診療行為群を前記診療行為群記憶部から取得し、前記特定した診療部位と前記取得した次回診療行為群とを含む診療予定情報を生成する予定情報生成ステップと、
前記予定情報生成ステップで生成した診療予定情報を表示する表示ステップと、
前記表示ステップで表示した診療予定情報のいずれかの次回診療行為群が選択された場合、前記診療行為群記憶部の前記選択された次回診療行為群の選択頻度を増加させるカウントステップと、を実行させ、
前記予定情報生成ステップは、前記診療予定情報の次回診療行為群の表示順を、前記選択頻度に基づいて決定し、
前記診療行為群記憶部には、各診療行為群毎に当該診療行為群に含まれる各診療行為が主要な診療行為であるか否かが設定され、
前記コンピュータは、各診療行為群の前記主要な診療行為毎に、チェック条件が記憶されたチェック条件記憶部を、さらに有し、
前記予定情報生成ステップは、次回診療行為群の各々について、主要な各診療行為が前記チェック条件記憶部の対応するチェック条件を満たすか否かを判別し、チェック条件を満たす主要な診療行為が１つも存在しない次回診療行為群については、前記診療予定情報から除外すること
を特徴とする歯科診療支援プログラム。
【請求項８】
請求項７記載の歯科診療支援プログラムであって、
前記コンピュータに、前記表示ステップで表示した診療予定情報のいずれかの次回診療行為群が選択された場合、当該選択された次回診療行為群に含まれる各診療行為を前記診療行為群記憶部から取得し、取得した各診療行為を含む処置データ入力画面を生成する入力画面生成ステップを、さらに実行させ、
前記表示ステップは、前記処置データ入力画面を表示すること
を特徴とする歯科診療支援プログラム。
【請求項９】
請求項７または８記載の歯科診療支援プログラムであって、
前記コンピュータに、前記処置データ記憶部の処置データから診療部位毎に所定の日数分の直近の処置データを抽出し、抽出した処置データを用いて診療部位毎の治療情報を生成する治療情報生成ステップを、さらに実行させ、
前記表示ステップは、前記予定情報生成ステップで生成した診療予定情報と、前記治療情報生成ステップで生成した治療情報とを、１つの画面で表示すること
を特徴とする歯科診療支援プログラム。
【発明の詳細な説明】
【技術分野】
【０００１】
本発明は、歯科診療を支援する歯科診療支援システム、歯科診療支援方法、および歯科診療支援プログラムに関する。
【背景技術】
【０００２】
近年のコンピュータ技術の発達により、コンピュータの小型化が進み、各種の分野においてコンピュータが使用されるようになっている。歯科診療の分野においても同様であり、患者ごとの歯科診療情報をコンピュータに入力し、随時読み出すことができるものが登場してきている。例えば、特許文献１には、患者毎の歯科診療情報を登録し、登録データを処理する歯科診療処理装置が記載されている。
【先行技術文献】
【特許文献】
【０００３】
【特許文献１】特開平９−１３１３５６号公報
【発明の概要】
【発明が解決しようとする課題】
【０００４】
さて、歯科治療は、歯の状態に応じて様々な段階を経て治療が行われる。そのため、歯科医師は、歯科診療の患者を診察する際に、過去の治療の経緯などを診療録（カルテ）から拾って、今回行う治療や治療方針を決定する。
【０００５】
しかしながら、長期にわたって治療を行っている患者の場合、当該患者の診療録は大量であり、また、診療録には今回の診療に必要のない情報も多数含まれているため、必要な情報に辿りつくのに時間がかかってしまう。また、診療録から今回の診療に必要な情報を見落としてしまうおそれがある。
【０００６】
また、歯科医師は、歯科診療の中で、前回の治療の部位、前回の治療内容を把握した上で、今回の治療計画を決定するが、これは時間および手間が係る作業であり、また、歯科医師の経験を要するものである。
【０００７】
本発明は上記事情に鑑みてなされたものであり、本発明の目的は、診療前に想定される診療行為群を生成し、提示することで、歯科診療を支援する歯科診療支援システム、歯科診療支援方法、および歯科診療支援プログラムを提供することにある。
【課題を解決するための手段】
【０００８】
上記課題を解決するために、本発明は、歯科診療を支援する歯科診療支援システムであって、複数の診療行為からなる診療行為群の各々について、当該診療行為群の次に行われる次回診療行為群および選択頻度を対応付けて記憶する診療行為群記憶手段と、過去に行った歯科診療の処置データを患者毎に記憶する処置データ記憶手段と、前記処置データ記憶手段の所定の患者の処置データから、最新の処置データの診療部位と診療行為群とを特定し、当該特定した診療行為群の次回診療行為群を前記診療行為群記憶手段から取得し、前記特定した診療部位と前記取得した次回診療行為群とを含む診療予定情報を生成する予定情報生成手段と、前記予定情報生成手段が生成した診療予定情報を表示する表示手段と、前記表示手段が表示した診療予定情報のいずれかの次回診療行為群が選択された場合、前記診療行為群記憶手段の前記選択された次回診療行為群の選択頻度を増加させるカウント手段と、を有し、前記予定情報生成手段は、前記診療予定情報の次回診療行為群の表示順を、前記選択頻度に基づいて決定し、前記診療行為群記憶手段には、各診療行為群毎に当該診療行為群に含まれる各診療行為が主要な診療行為であるか否かが設定され、各診療行為群の前記主要な診療行為毎に、チェック条件が記憶されたチェック条件記憶手段を、さらに有し、前記予定情報生成手段は、次回診療行為群の各々について、主要な各診療行為が前記チェック条件記憶手段の対応するチェック条件を満たすか否かを判別し、チェック条件を満たす主要な診療行為が１つも存在しない次回診療行為群については、前記診療予定情報から除外する。
【０００９】
また、本発明は、歯科診療を支援する歯科診療支援方法であって、コンピュータは、複数の診療行為からなる診療行為群の各々について、当該診療行為群の次に行われる次回診療行為群および選択頻度を対応付けて記憶する診療行為群記憶部と、過去に行った歯科診療の処置データを患者毎に記憶する処置データ記憶部と、を有し、前記処置データ記憶部の所定の患者の処置データから、最新の処置データの診療部位と診療行為群とを特定し、当該特定した診療行為群の次回診療行為群を前記診療行為群記憶部から取得し、前記特定した診療部位と前記取得した次回診療行為群とを含む診療予定情報を生成する予定情報生成ステップと、前記予定情報生成ステップで生成した診療予定情報を表示する表示ステップと、前記表示ステップで表示した診療予定情報のいずれかの次回診療行為群が選択された場合、前記診療行為群記憶部の前記選択された次回診療行為群の選択頻度を増加させるカウントステップと、を行い、前記予定情報生成ステップは、前記診療予定情報の次回診療行為群の表示順を、前記選択頻度に基づいて決定し、前記診療行為群記憶部には、各診療行為群毎に当該診療行為群に含まれる各診療行為が主要な診療行為であるか否かが設定され、前記コンピュータは、各診療行為群の前記主要な診療行為毎に、チェック条件が記憶されたチェック条件記憶部を、さらに有し、前記予定情報生成ステップは、次回診療行為群の各々について、主要な各診療行為が前記チェック条件記憶部の対応するチェック条件を満たすか否かを判別し、チェック条件を満たす主要な診療行為が１つも存在しない次回診療行為群については、前記診療予定情報から除外する。
【００１０】
また、本発明は、コンピュータが実行する歯科診療支援プログラムであって、前記コンピュータは、複数の診療行為からなる診療行為群の各々について、当該診療行為群の次に行われる次回診療行為群および選択頻度を対応付けて記憶する診療行為群記憶部と、過去に行った歯科診療の処置データを患者毎に記憶する処置データ記憶部と、を有し、前記コンピュータに、前記処置データ記憶部の所定の患者の処置データから、最新の処置データの診療部位と診療行為群とを特定し、当該特定した診療行為群の次回診療行為群を前記診療行為群記憶部から取得し、前記特定した診療部位と前記取得した次回診療行為群とを含む診療予定情報を生成する予定情報生成ステップと、前記予定情報生成ステップで生成した診療予定情報を表示する表示ステップと、前記表示ステップで表示した診療予定情報のいずれかの次回診療行為群が選択された場合、前記診療行為群記憶部の前記選択された次回診療行為群の選択頻度を増加させるカウントステップと、を実行させ、前記予定情報生成ステップは、前記診療予定情報の次回診療行為群の表示順を、前記選択頻度に基づいて決定し、前記診療行為群記憶部には、各診療行為群毎に当該診療行為群に含まれる各診療行為が主要な診療行為であるか否かが設定され、前記コンピュータは、各診療行為群の前記主要な診療行為毎に、チェック条件が記憶されたチェック条件記憶部を、さらに有し、前記予定情報生成ステップは、次回診療行為群の各々について、主要な各診療行為が前記チェック条件記憶部の対応するチェック条件を満たすか否かを判別し、チェック条件を満たす主要な診療行為が１つも存在しない次回診療行為群については、前記診療予定情報から除外する。
【発明の効果】
【００１１】
本発明によれば、診療前に想定される診療行為群を生成し、提示することで、歯科診療を支援する歯科診療支援システム、歯科診療支援方法、および歯科診療支援プログラムを提供することができる。
【図面の簡単な説明】
【００１２】
【図１】本発明の実施の形態に係る歯科診療支援システムの概略構成図である。
【図２】歯科診療における診療行為群の流れの一例を示す図である。
【図３】診療行為群記憶部の各診療行為群のテーブルの一例を示すものである。
【図４】画面の一例を示す図である。
【図５】処置データ記憶部の一例を示す図である。
【図６】診療予定情報生成処理を示すフローチャートである。
【図７】チェック条件記憶部の一例を示す図である。
【図８】処置データ入力画面の一例を示す図である。
【図９】診療行為入力画面の一例を示す図である。
【図１０】絞込情報の一例を示す図である。
【発明を実施するための形態】
【００１３】
以下、本発明の実施の形態を、図面を用いて説明する。
【００１４】
図１は、本実施形態の歯科診療支援システム１の構成図である。図示する歯科診療支援システム１は、治療情報生成部１１と、予定情報生成部１２と、表示部１３と、カウント部１４と、入力画面生成部１５と、処置データ記憶部１６と、診療行為群記憶部１７と、チェック条件記憶部１８とを備える。
【００１５】
治療情報生成部１１は、処置データ記憶部１６の処置データから診療部位毎に所定の日数分の直近の処置データを抽出し、抽出した処置データを用いて診療部位毎の治療情報を生成する。
【００１６】
予定情報生成部１２は、処置データ記憶部１６の所定の患者の処置データから、最新の処置データの診療部位と診療行為群とを特定し、当該特定した診療行為群の次回診療行為群を前記診療行為群記憶部１７から取得し、特定した診療部位と取得した次回診療行為群とを含む診療予定情報を生成する。また、予定情報生成部１２は、診療予定情報の次回診療行為群の表示順を、選択頻度に基づいて決定する。
【００１７】
表示部１３は、予定情報生成部１２が生成した診療予定情報と、治療情報生成部１１が生成した治療情報とを、１つの画面で表示する。なお、表示部１３は、予定情報生成部１２が生成した診療予定情報のみを画面に表示することとしてもよい。
【００１８】
カウント部１４は、表示部１３が表示した診療予定情報のいずれかの次回診療行為群が選択された場合、診療行為群記憶手段１７の選択された次回診療行為群の選択頻度を増加させる。
【００１９】
入力画面生成部１５は、表示部１３が表示した診療予定情報のいずれかの次回診療行為群が選択された場合、当該選択された次回診療行為群に含まれる各診療行為を診療行為群記憶部１７から取得し、取得した各診療行為を含む処置データ入力画面を生成する。
【００２０】
処置データ記憶部１６には、過去に行った歯科診療の処置データが患者毎に記憶される。診療行為群記憶部１7には、複数の診療行為からなる診療行為群の各々について、当該診療行為群の次に行われる次回診療行為群および選択頻度を対応付けて記憶される。チェック条件記憶部１８には、各診療行為群の主要な診療行為毎に、所定のチェック条件が記憶されている。
【００２１】
以上説明した歯科診療支援システム１は、少なくともＣＰＵ（中央演算装置）とメモリ（主記憶装置）とを備えた汎用的なコンピュータシステムを用いることができる。このコンピュータシステムにおいて、ＣＰＵがメモリ上にロードされた、歯科診療支援システム１用のプログラムを実行することにより、各機能が実現される。また、歯科診療支援システム１は、ハードディスク等の記憶装置と、入力装置と、ディスプレイやプリンタなどの出力装置とを備えるものとする。
【００２２】
また、歯科診療支援システム１の各種処理を実行するプログラムは、メモリまたは記憶装置に格納されているものである。そして、このプログラムは、ハードディスク、フレキシブルディスク、ＣＤ、ＭＯなどのコンピュータ読み取り可能な記録媒体に記録することも、ネットワークを介して配信することも可能である。
【００２３】
図２は、歯科診療における診療行為群の流れの一例を示す図である。歯科診療は、一般的に複数の日数にわたって行われ、また歯の状態によって治療が変わる。例えば、軽度の虫歯の治療であれば、図示するように「う蝕処置」−「う蝕処置＋覆罩」−「窩洞形成＋充填」の各診療行為群を、それぞれ一日毎に行う。また、「う蝕処置＋覆罩」の次に行われる診療行為群としては、「窩洞形成＋充填」の他に「窩洞形成＋印象・咬合」もある。
【００２４】
また、重度の虫歯の治療であれば、図示するように、「う蝕処置」−「抜髄」−「貼薬」等の診療行為群を行う。
【００２５】
図３は、診療行為群記憶部１７に記憶される各診療行為群のテーブルの一例を示すものである。図３（ａ）から図３（ｄ）では、図２に示す診療行為群のうち、「う蝕処置」、「う蝕処置＋覆罩」、「窩洞形成＋充填」、「窩洞形成＋印象・咬合」を例として示している。
【００２６】
診療行為群は、１日で行うことが可能な診療行為から構成されるものであり、診療行為群の中には最低１つの主項目（当該診療行為群において主となる診療行為）が含まれている。
【００２７】
図３に示す各テーブルでは、当該診療行為群に属する少なくとも１つの診療行為と、次回診療行為群とが設定されている。そして、当該診療行為群に属する各診療行為については、保険点数、属している診療行為群、主項目フラグ、表示属性が併せて設定されている。主項目フラグは、対応する診療行為が主項目であるか否かを示すフラグであって、図示する例では「○」は主項目であることを示し、スペースは主項目でないことを示している。表示属性は、対応する診療行為の表示上の属性であって、本実施形態では「診療」、「主訴」、「診療結果」及び「患者説明」がある。
【００２８】
また、次回診療行為群については、図２に示す歯科診療における診療行為群の流れに従って、当該診療行為群の次に行われる診療行為群が設定される。そして、各次回診療行為群については、過去において当該次回診療行為群が選択された回数（選択頻度）が設定される。
【００２９】
例えば、図３（ｂ）の「う蝕処置＋覆罩」の診療行為群では、診療行為として「Ｘ線」、「診断結果」、「除去」、「う蝕処置」、「間接歯髄保護処置」、「図を持って説明した」が含まれる。そして、「う蝕処置」および「間接歯髄保護処置」が主項目である。また、次回診療行為群としては、「窩洞形成＋充填」と「窩洞形成＋印象・咬合」とが設定され、発生頻度はそれぞれ「３回」と「１回」である。
【００３０】
図４は、歯科診療支援システム１のディスプレイに表示される画面例である。図示する画面は、処置データ記憶部１６の処置データに基づいて生成した治療情報４１と、診療予定情報４２とが、１つの画面で表示されている。治療情報４１には、日付４１１と、部位４１２と、病名４１３と、診療行為４１４とが含まれる。
【００３１】
診療予定情報４２には、予定情報生成部１２により診療行為群記憶部１７（図３参照）を用いて生成された診療予定情報が表示される。診療予定情報４２には、例えば、部位毎に生成され、部位４２１、病名４２２、履歴４２３、次回診療行為群（推測される今回の診療行為群）４２４が含まれる。歯科医師は、診療予定情報４２を閲覧し、次回診療行為群４２４の中からいずれかの診療行為群を今回の診療内容として選択する。
【００３２】
次に、図４に示す画面の生成処理について説明する。
【００３３】
まず、図４の治療情報４１の生成処理について説明する。治療情報生成部１１は、処置データ記憶部１６の中から、直近の歯科診療に関する処置データを抽出し、抽出した処置データを用いて治療情報４１を生成する。
【００３４】
図５は、処置データ記憶部１６に記憶される処置データの一例を示すものである。処置データ記憶部１６には、患者毎に、当該患者に対して過去に行った処置（治療）の内容が記憶されている。図示する処置データは、処置を行った日付、処置を行った部位、登録行番号、診療行為（処置項目名称）、病名、点数、診療行為群、表示属性などが含まれる。
【００３５】
登録行番号は、処置毎にあらかじめ定められた番号であって、歯科医が各処置を処置データ記憶部１６に登録する際に、対応する登録行番号が設定される。表示属性は、各処置データを所定のカテゴリーに分類するものである。
【００３６】
治療情報生成部１１は、処置データ記憶部１６を参照し、対象となる患者の処置データの中から所定の日数分の直近の日の処置データを部位毎に抽出し、抽出した処置データを用いて治療情報４１を生成する。図４に示す例では、H22.9.22がこれから診療する今回の診療日で、H22.9.7が前回（直近）の診療日で、H22.9.6が前々回の診療日である。また、治療情報４１の日付４１１と、部位４１２と、病名４１３と、診療行為４１４には、抽出した各処置データ（図５参照）の日付、部位、病名、診療行為、点数が設定される。
【００３７】
次に、図４の診療予定情報４２の生成処理の生成処理について説明する。
【００３８】
図６は、診療予定情報４２の生成処理を説明するためのフロー図である。まず、予定情報生成部１２は、処置データ記憶部１６から対象となる患者の部位毎に、最新の処置データを抽出する（Ｓ１１）。
【００３９】
そして、予定情報生成部１２は、部位毎に抽出した最新の処置データの診療行為群を取得し、取得した診療行為群の次回診療行為群を診療行為群記憶部１７から取得する（Ｓ１２）。例えば、取得した診療行為群が「う蝕処置＋覆罩」の場合、図３（ｂ）の次回診療行為群に設定された「窩洞形成＋充填」および「窩洞形成＋印象・咬合」を取得する。
【００４０】
そして、予定情報生成部１２は、取得した次回診療行為群の各々について、主要な各診療行為がチェック条件記憶１８の対応するチェック条件を満たすか否かを判別し、チェック条件を満たす主要な診療行為が１つも存在しない次回診療行為群については、前記診療予定情報から除外する（Ｓ１３）。
【００４１】
例えば、取得した次回診療行為群が「窩洞形成＋充填」の場合、予定情報生成部１２は、診療行為群記憶部１７の「窩洞形成＋充填」のテーブル（図３（ｃ））を参照し、主項目フラグが設定されている「窩洞形成」および「充填単純」がチェック条件記憶部１８の対応するチェック条件を満たすか否かを判別する。
【００４２】
図７は、チェック条件記憶１８に記憶されたチェック条件の一例を示す図である。図示するチェック条件は、診療行為群および主要な診療行為毎に、チェック条件が設定されている。チェック条件には、本日（現時点において）、当該主要な診療行為を行うことができないルールが設定されている。具体的には、本日の所定の診療行為と前回の所定の診療行為との算定日の期間が定められており、その期間が経過していない場合は、本日の所定の診療行為が行えないものとする。このような期間および所定の診療行為は、保険診療上のルールや、歯科医師・歯科医院の診療方針などから設定される。歯科医師は、チェック条件記憶１８のチェック条件を追加・変更してカスタマイズできるものとする。
【００４３】
図７に示す「窩洞形成」のチェック条件には、「う蝕処置から１週間以上経過していれば、窩洞形成できる。」と設定されている。この場合、予定情報生成部１２は、当該部位に対する前回のう蝕処置の日付けを処置データ記憶部１６から取得し、取得した日付けと今日の日付けとを比較して、一週間を超えているか否かを判別する。図４に示す例では、H22.9.7にう蝕処置を行い、H22.9.22の今日の時点で１週間を越えているので、「窩洞形成」を行うことができる（チェック条件を満たしている）と判別する。「充填単純」についても、チェック条件記憶部１８の対応するチェック条件を参照し、チェック条件を満たしているか否かを判別する。
【００４４】
また、例えば取得した次回診療行為群が「窩洞形成＋印象・咬合」の場合、予定情報生成部１２は、診療行為群記憶部１７の「窩洞形成＋印象・咬合」のテーブル（図３（ｄ））を参照し、主項目フラグが設定されている「窩洞形成」、「連合印象」および「咬合調整」のそれぞれについて、チェック条件記憶部１８の対応するチェック条件を満たすか否かを判別する。
【００４５】
このように、予定情報生成部１２は、Ｓ１２で取得した次回診療行為群の各々について、主要な各診療行為がチェック条件記憶１８の対応するチェック条件を満たすか否かを判別し、チェック条件を満たす主要な診療行為が少なくとも１つ存在する次回診療行為群のみを抽出し、チェック条件を満たす主要な診療行為が１つも存在しない次回診療行為群については削除する。
【００４６】
そして、予定情報生成部１２は、診療予定情報４２を生成する（Ｓ１４）。すなわち、予定情報生成部１２は、Ｓ１１で取得した部位毎に、処置データに設定された部位４２１と、病名４２２と、履歴４２３と、Ｓ１３で抽出した次回診療行為群４２４とを含む診療予定情報を生成する。なお、履歴４２３には、直近の所定の日数分の処置データであって、主要な診療行為が設定された処置データの日付けとその当該診療行為が属する診療行為群とが設定される。なお、主要な診療行為か否かは、診療行為群記憶部１７を参照して判別する。
【００４７】
また、予定情報生成部１２は、診療予定情報の次回診療行為群４２４の表示順を、診療行為群記憶部１７の選択頻度に基づいて決定する。すなわち、選択頻度の高い順に設定する。具体的には、Ｓ１３で「窩洞形成＋充填」および「窩洞形成＋印象・咬合」が抽出された場合、予定情報生成部１２は図３（ｂ）のテーブルを参照し、選択頻度（３回）が大きい「窩洞形成＋充填」を次回診療行為群４２４の先頭に設定し、選択頻度（１回）が小さい「窩洞形成＋印象・咬合」を「窩洞形成＋充填」の次（下）に設定する。
【００４８】
そして、表示部１３は、Ｓ１４で生成した診療予定情報と、治療情報生成部１１が生成した治療情報とを、１つの画面で表示する（Ｓ１５）。
【００４９】
次に、カウント部１４は、表示部１３が表示した診療予定情報４２のいずれかの次回診療行為群４２４が歯科医師により選択された場合、診療行為群記憶部１７の選択された次回診療行為群の選択頻度を「１」増加させる（Ｓ１６）。例えば、図４の画面において、「窩洞形成＋充填」がクリックされた場合、カウント部１４は、図３（ｂ）のテーブルの次回診療行為群の「窩洞形成＋充填」の選択頻度を「１」カウントアップする。
【００５０】
そして、入力画面生成部１５は、Ｓ１６で選択された次回診療行為群に含まれる各診療行為を診療行為群記憶部１７から取得し、取得した各診療行為を含む処置データ入力画面を生成し、表示部１３は、生成した処置データ入力画面を表示する（Ｓ１７）。
【００５１】
図８は、処置データ入力画面８１の一例を示す図である。処置データ入力画面８１は、図示するように、選択された次回診療行為群に含まれる各診療行為と点数があらかじめ設定されている。したがって、歯科医師は、当該画面に表示された各診療行為について、点数に所望の個数（回数）を設定するだけで、容易に今回の診療行為を処置データ記憶部１６に登録することができる。点数の個数（回数）には、あらかじめ「１」が設定されているものとする。また、Ｓ１３の主要な診療行為のチェック条件の判定処理で、チェック条件を満たさない診療行為については、あらかじめ「０」を設定することとしてもよい。
【００５２】
歯科医師は、当該画面に表示された診療行為の中で今回は行わない診療行為については、個数（回数）に「０」を設定する。また、歯科医師は、画面に表示された診療行為以外の診療行為を入力する場合は、処置データ入力画面８１に直接所望の診療項目を入力し、または、所定の操作を行うことにより図９に示すような診療行為入力画面９１を表示させ、所望の診療行為を入力するものとする。
【００５３】
以上説明した図６の処理により、診療予定情報４２（図４参照）を生成し提示するとともに、処置データ入力画面８１（図８参照）を生成し提示する。
【００５４】
なお、予定情報生成部１２は、診療予定情報４２として、直近の所定の日数分の表示属性が「診断結果」、「主訴」、「患者説明」の処置データのみを抽出して、絞込情報を生成し、表示することとしてもよい。図１０は、診療予定情報のかわりに絞込情報１０１を表示した画面例である。診療予定情報４２を表示するか、診療予定情報を表示するかは、タブ（図４の画面例では診療予定情報４２の上部に表示された「予定」、「絞込」）を用いて切替えるものとする。
【００５５】
以上説明した本実施形態の歯科診療支援システム１では、処置データ記憶部１６および行為群記憶部１７を用いて診療予定情報を生成し、推定される歯科診療の部位および今回の診療行為群（次回診療行為群）を歯科医師に提示する。これにより、歯科医師は、診療前に今回診療すべき診療行為を容易に短時間で把握することができ、これに基づいて歯科医師は、今回の歯科診療の方針を検討することができる。すなわち、本実施形態の歯科診療支援システム１は、患者の治療状態に応じた歯科医師の治療治療を支援することができる。
【００５６】
また、本実施形態では、診療予定情報の次回診療行為群の表示順を、前記選択頻度に基づいて決定するため、使用頻度の高い診療予定群を歯科医師は即座に選択することができる。
【００５７】
また、本実施形態では、診療予定情報のいずれかの次回診療行為群が選択された場合、当該選択された次回診療行為群に含まれる各診療行為を含む処置データ入力画面を生成し提示するため、今回行う診療行為を容易に処置データ記憶部１６に登録することができる。
【００５８】
また、本実施形態では、次回診療行為群の各々について、主要な各診療行為がチェック条件記憶部１８の対応するチェック条件を満たすか否かを判別し、チェック条件を満たす主要な診療行為が１つも存在しない次回診療行為群については、診療予定情報から除外するため、適切な次回診療行為群のみを歯科医師に提示することができる。
【００５９】
また、本実施形態では、診療予定情報と、直近の歯科診療に関する治療内容とを１つの画面で表示することにより、次回診療行為群を提示するだけでなく、前回の歯科診療の内容を把握できるため、迅速に今回の治療内容を決定することができる。
【００６０】
以上、本発明の実施の形態について説明してきたが、本発明の要旨を逸脱しない範囲において、本発明の実施の形態に対して種々の変形や変更を施すことができる。例えば、上記実施形態では、図４に示すように、予定情報生成部１２が生成した診療予定情報４２と、治療情報生成部１１が生成した治療情報４１とを１つの画面で表示することとしたが、予定情報生成部１２が生成した診療予定情報４２のみを画面に表示することとしてもよい。
【符号の説明】
【００６１】
１    歯科診療支援システム
１１  治療情報生成部
１２  予定情報生成部
１３  表示部
１４  カウント部
１５  入力画面生成部
１６  処置データ記憶部
１７  治療行為群記憶部
１８  チェック条件記憶部
【図１】
0005524798.tif 000002
【図２】
0005524798.tif 000003
【図３】
0005524798.tif 000004
【図４】
0005524798.tif 000005
【図５】
0005524798.tif 000006
【図６】
0005524798.tif 000007
【図７】
0005524798.tif 000008
【図８】
0005524798.tif 000009
【図９】
0005524798.tif 000010
【図１０】
0005524798.tif 000011